(57)【要約】      （修正有）【課題】家庭で簡単に使用でき、シーズンオフには収容しやすく、輸送しやすい日除け、目隠し、防風枠付ネットを提供する。【解決手段】ネット２は組み立て式の固定するスチールパイプ枠１にマジックテープ４（登録商標）で固定すし、たわみを少なくするためクロス十字になるようロープを掛け枠の角に固定する。屋根付スチールパイプ枠ネットの屋根枠は防水シート又は布使用、この防水シートの上に日除けネットを張る。防水シートとネット間に１０ｃｍくらいのプラスチックボールを入れ空間を作り温度上昇を防ぐ。前面枠の上段の枠には防水透明シートを使用、前面枠にも日除けネットを張る。屋根枠と前面枠の固定は屋根の角度を変えられる金具を使用、屋根枠の一方は掃き出し窓の上壁に固定するか、柱を立て自立させる。【選択図】図１
2005194714.tif 000002
【特許請求の範囲】
【請求項１】
スチールパイプ枠図２とネット又は布図１を組み合わせ、ネット又は布をマジックテープ（登録商標）で枠に固定した日除け、目隠し、防風枠付ネット
【請求項２】
中桟９、下桟１０が図２のように中間と、下部にあり、パイプを差込接続８し、継手用ボルト１１で固定、上部を連結金具７とボルトで固定し、パイプとパイプをパイプ連結用ボルト６で固定した、２連結スチールパイプ枠
【請求項３】
日除け、目隠しネット又は布を図１の形に裁断、マジックテープ（登録商標）を図１のようにマジックテープのパイル３、マジックテープのフック４を取り付けマジックテープで枠に固定、防風ネットは図３のようにクロス十字にロープを１０ｃｍおきに表裏交互に通しロープのはしに細く長くしたマジックテープのフック１３を取り付け、ネットの角にマジックテープのパイル１４を取り付け、スチールパイプ枠に引っ張りをかけ巻きつけ枠の角に固定しネットを強化した、日除け、目隠し、防風枠付ネット。
【請求項４】
屋根付スチール枠前面枠１８の２連結に足金具１６を取り付けて図４のように置きその上に屋根付スチール枠屋根用枠１９を乗せ、屋根用枠と前面枠は屋根受金具１７と屋根受可変金具２０とで固定され、屋根の一方は壁面に固定又は柱２２により自立させる、柱２２とスチールパイプ２連結は梁２１で固定される、屋根の部分は防水シート又は布を枠に接着又はマジックテープ（登録商標）固定して、防水シート又は布の上にネットを張り、図７のように防水シートとネットの間に中心に穴の開いた直径１０ｃｍくらいのプラスチック製ボール２６を空間ができるようにネットに固定し、前面の金属枠の上段には防水透明シートを枠に接着又はマジックテープで固定し、その上にネットを張った屋根付スチール枠ネット。
【発明の詳細な説明】
【技術分野】
【０００１】この発明は夏の直射日光をさえぎり、冬の寒風を防ぎ、隣家及び通りより視界をさえぎるものである、又、屋根付スチール枠ネットは掃きだしの窓用で雨の吹込み、屋根の下には洗濯物が入れられ、日除け、目隠し、防風になる。
【背景技術】
【０００２】布製の巻き取り式日除け、ヨシズ、遮光ネット、防風ネット、テラス用の目隠し材、木・竹製の目隠し材などがある。
【発明の開示】
【発明が解決しようとする課題】
【０００３】（イ）ヨシズは丸めても長さは変わらず、がさばり、輸送収納が大変、又ヨシズの透過光量は調節できない。強風には特別な補強をしなければ飛ばされてしまう。
（ロ）遮光ネットは植物用であり、枠がないため家庭では利用しにくい。
（ハ）防風ネットも支柱に固定して使用するが家庭では利用しにくい。
（ニ）木と竹を組み合わせた和風の目隠し材は現在の住宅には不似合いだ。
（ホ）布製の巻き取り式日除けは張り出し用の金具と一体で軒下、壁面などに取り付けられ、使いやすいが高価である。
（ヘ）現在の住宅はひさしの張り出しが小さく、雨を防げず、洗濯物が収容できない構造である。
【課題を解決するための手段】
【０００４】ネットを固定する枠を組み立て式にする。
強風、突風によるたおれを防ぐため下枠にブロック等の重石を乗せられるようにした。
地面に直接枠付ネットを置くと雨により泥が跳ねネット汚す、このため下枠より２０ｃｍくらいより上にネットを張る。
ネットは簡単に取り付けできるようにマジックテープ（登録商標）を使用、たわみを少なくするため、クロス十字なるようにロープをネットの表裏交互１０ｃｍ間隔にとおし図３のように引っ張りを掛け、枠の角に固定する、このロープの固定にもマジックテープを使用する。このロープは防風ネットに有効である。
屋根付スチール枠ネットは掃きだしの窓用で梁に物干し竿をかけ洗濯物を収容、日除け、目隠し、防風にもなるようにする。
この枠付ネットを既存のフェンス、テラス等に取り付け日除け、目隠、防風しに利用。
透過光量は密度の違うネットを使用することで変えることができる。
日除け、目隠し、防風枠付のネット、布は、色、柄が自由に設定できる。
日除け枠付ネットは太陽光をさえぎるだけでなく壁、窓との間に空間を取ることができる。
屋根付スチール枠ネットでは防水シートとネットとの間をプラスチックボールで浮かせることにより空間を作り防水シートの温度上昇を抑えることができる。
【発明の効果】
【０００５】枠を組み立て式にしたため輸送、収納が簡単になった。
ネット又は布とスチールパイプ枠はマジックテープ（登録商標）で簡単に固定される。
下枠よりに空間を設けたためネットが汚れにくくなった。又この下枠にブロック等の重石を乗せれば強風にも倒れにくくなる。
このスチールパイプ枠を屋根の支えに使用して、屋根を設け洗濯物を収容できるようにして、なを、かつ日除け、目隠し、防風にもなる。屋根の防水シートとネットの間にプラスチックボールを入れ空間を作ったため防水シートの温度上昇が抑えられた。
ネットに透かし模様を入れ影絵のように楽しむこともできる。
ネットにクロス十字にロープをかければ強度が増す、特に防風ネットには有効である。
ネット、布は色彩を自由に変え建物、周囲に合わせることができる。
枠は共用でき用途により、日除け、目隠し、防風とネット、布を使い分け、兼用にもできる。
屋根付スチール枠ネットではひさしが短く雨が吹き込みやすい、掃きだしの窓でも雨が入らず洗濯物が収容でき、空間の一方を塞ぎ一方にドアを設ければ雪きり室に、又、物が置ける。
枠付のため支柱無しでも取り付けが容易でありフェンス、テラスなどには横長に取り付け、高さ１２０〜１８０ｃｍが有効で、日除け、目隠し、、防風の用途にも使用できる。
支柱を立て金具により固定し本格的に防風、目隠し、日除けネットとしても利用できる。
ネットを交換すれば年間使用でき、ネットは兼用できるものもある、ネット以外にキャンバス地などの布も有効である。傷んだネットは交換することができる。
目隠しネットは年間商材、防風ネットは冬、日除けネットは夏の商材でネットを別売りにすれば年間通じて販売でき、販売効率が良くなる。
【発明を実施するための最良の形態】
【０００６】（イ）本発明のスチールパイプ枠はＷ１ｍｘＨ２ｍとＷ１ｍｘＨ１ｍのスチールパイプ製を基本とし、Ｗ１ｍｘＨ１ｍは図５にＷ１ｍｘＨ２ｍを追加したときに必要となる。これを図１のように２連結、３連結以上は２連結と同様に連結する、図５の変則３連結も可能である。ネットもこれに合わせたサイズに作る。枠の構造は図２のように差込接続５しボルトで固定する。この枠を２連結の場合は図２のように上辺を連結金具７で固定、中間はパイプとパイプをパイプ連結用ボルト６で固定する。３連結の場合も同様である。テラス、フェンス用には高さ１２０〜１８０ｃｍが必要、枠のサイズは用途、使用方法により変えられる。塗装、メッキは使用場所等により使い分ける。
（ロ）この枠には強度とネットの汚れ防止、ブロック等を乗せ強風から枠付ネットを守るため中桟９下桟１０が入っている。
（ハ）本発明の２連結用のネットは図１のようにマジックテープ（登録商標）で枠に固定する、このマジックテープをネットに縫製又は接着するとネットの補強を兼ねることになる。ネットの強化とたるみを防止するためネットにクロス十字にロープ１２を１０ｃｍおきに表裏交互にいれ、ロープ１２の端に細長のロープ用マジックテープのフック１３と其布を縫い付け枠の角にまきつけ引っ張り、ロープ用マジックテープのパイル１４に固定する、３連結も同様である。ネット以外に布も使用できる。
（ニ）ネットにはすかし模様で涼しそうな絵を浮かせることもでき、ネットの柄、色は建物、用途、好みにより変えられる。布を使用した場合も同様である。
（ホ）３連結でも組み合わせにより図５のような連結もあり幅２ｍ高さ３ｍになる。高さ４ｍにするには縦長に図２を２枚繋げ、両サイドに補強の４ｍパイプを枠に固定する。
（ヘ）寒冷地及び風の強い所では防風ネットが必需品となっている、この枠付ネット２連結を横向きに金具で足場パイプ等を支柱にして固定すれば枠付防風ネットである。
（ト）屋根付スチール枠ネットの屋根用枠１９には防水シート又は撥水布を張る、この屋根枠は前面枠１８には足金具１６と屋根受金具１７で取り付け、屋根の傾斜は屋根受可変金具２０で変えられる、屋根の一方は掃きだしの窓２５の上壁面にじかに取り付けるか、柱２２を立て自立させる。
前面枠１８と柱２２は梁２１で強化し、前面の上段の枠にも透明防水シート又は撥水布を張り雨の吹き込みを防ぐ、夏の日差し防ぐには日除けネットを防水シートの上から張り、視界をさえぎるなら目隠しの用のネットを張ればよい、日除けと目隠しネット、布は兼用にできる。
屋根付ネットでは防水シートとネットとの間の中央を、中心に穴の開いた１０ｃｍくらいのボールをネットに固定、ネットを浮かせることにより空間を作りシートの温度上昇を抑えることができる。
足金具、屋根受け金具、パイプに２ヶ所以上の穴をあけ金具と、パイプの穴位置を調節しボルトで固定、高さを変えられる。
【図面の簡単な説明】
【図１】    本発明のスチールパイプ枠とネット又は布の取り付け方法である。
【図２】    本発明のスチールパイプ枠である。
【図３】    本発明の防風枠付ネットの強化方法である。
【図４】    本発明の屋根付スチール枠ネットである。
【図５】    スチールパイプ枠の連結方法の一つである。
【図６】    屋根付スチール枠ネットの施工、側面図である。
【図７】    防水シートとネットの間に空間を作る方法である。
【符号の説明】
１スチールパイプ枠  ２ネットまたは布  ３マジックテープのパイル  ４マジックテープのフック  ５切込  ６パイプ連結用ボルト  ７連結金具  ８差込接続  ９中桟  １０下桟  １１継手用ボルト  １２ロープ  １３ロープ用マジックテープのフック  １４ロープ用マジックテープのパイル  １５基布  １６足金具  １７屋根受け金具  １８屋根付スチール枠用前面枠
１９屋根付スチール枠用屋根用枠  ２０屋根受可変金具  ２１梁  ２２柱  ２３物干し竿
２４地面  ２５掃きだしの窓  ２６プラスチックボール
【図１】
2005194714.tif 000003
【図２】
2005194714.tif 000004
【図３】
2005194714.tif 000005
【図４】
2005194714.tif 000006
【図５】
2005194714.tif 000007
【図６】
2005194714.tif 000008
【図７】
2005194714.tif 000009